(57)【特許請求の範囲】
【請求項１】
水平方向に対して下向きに流れるエアカーテンを形成するエアチャンバと、前記エアカーテンが頭部前半面に沿う位置に前記エアチャンバを固定する固定具とを備え、
前記エアチャンバは、前記エアカーテンを形成するエアを吹き出すチャンバ中央部および左右のチャンバ側部を有し、
前記チャンバ中央部は前記左右のチャンバ側部よりも前方に膨出した膨出部を有し、
前記エアチャンバの下面であって、前記チャンバ中央部には中央吹出口があり、
前記エアチャンバの下面であって、前記左右のチャンバ側部には側部吹出口があり、
前記中央吹出口には、前記チャンバ中央部の内縁側に配置された内縁吹出口と、前記内縁吹出口よりも前方であって前記膨出部側に配置された前方吹出口とがあるエア式フェイスガード。
【請求項２】
前記前方吹出口は、前方に向かって二層にわかれて配置されている請求項１に記載のエア式フェイスガード。
【請求項３】
前記エアチャンバに接続されるエアパイプと、前記エアパイプに接続される送風機とを備える請求項１または請求項２に記載のエア式フェイスガード。
【請求項４】
前記送風機は、エア吸入口と、前記エア吸入口から吸入されるエアが通るエアフィルタとを備え、
前記エア吸入口は前記エアカーテンの下流側に配置される請求項３に記載のエア式フェイスガード。
【請求項５】
前記送風機は、前記エアチャンバに供給するエアの風量を調整操作可能な風量調整部を有する請求項３または請求項４に記載のエア式フェイスガード。
【請求項６】
前記風量調整部は、前記エアチャンバから吹き出すエアの最大風速を１５ｍ／秒以上に調整可能に構成される請求項５に記載のエア式フェイスガード。
【請求項７】
水平方向に対して下向きに流れるエアカーテンを形成するエアチャンバと、前記エアカーテンが頭部前半面に沿う位置に前記エアチャンバを固定する固定具と、前記エアチャンバに接続されるエアパイプと、前記エアパイプに接続される送風機とを備え、
前記送風機は、前記エアチャンバに供給するエアの風量を調整操作可能な風量調整部を有し、
前記エアチャンバは、前記エアカーテンを形成するエアを吹き出す吹出口がそれぞれ形成されたチャンバ中央部および左右のチャンバ側部を有し、
前記左右一方側のチャンバ側部に接続される左右一方側の前記エアパイプおよび前記送風機と、前記左右他方側のチャンバ側部に接続される左右他方側の前記エアパイプおよび前記送風機とを備え、
前記エアチャンバには、当該エアチャンバの内部空間を左右に仕切る仕切り板が形成され、
前記仕切り板は、左右に仕切られた前記内部空間同士を連通する連通部を有するエア式フェイスガード。
【請求項８】
前記エアパイプの少なくとも一部は、伸縮可能に蛇腹状に形成される請求項４から請求項７のいずれか一項に記載のエア式フェイスガード。
【請求項９】
前記中央吹出口の開口面積は、前記左右の側部吹出口の開口面積よりも大きくされる請求項１から請求項６のいずれか一項に記載のエア式フェイスガード。
【請求項１０】
前記前方吹出口の開口面積は、前記内縁吹出口よりも大きく、前記内縁吹出口の開口面積は、前記左右の側部吹出口の開口面積よりも大きい請求項９に記載のエア式フェイスガード。
【請求項１１】
前記エアチャンバには、当該エアチャンバからのエア吹出方向を変更する風向調整体が設けられる請求項１から請求項１０のいずれか一項に記載のエア式フェイスガード。
【発明の詳細な説明】
【技術分野】
【０００１】
本発明は、使用者や対面者などの飛沫等をいなすエア式フェイスガードに関する。
【背景技術】
【０００２】
近年における新型コロナウィルス感染症（ＣＯＶＩＤ−１９に代表される）ウイルスおよび細菌感染症抑制のためにマスク、透明板を備えるフェイスガードが利用されており、例えば、使用者の口および外鼻孔を被覆するマスク型シールドが知られている（特許文献１参照）。
【０００３】
このマスク型シールドは、耳に引掛け可能なゴム紐等によって使用者の顔に装着されるフレームと、フレームに対して開閉可能に取り付けられたシールド本体とを備えており、閉鎖状態のシールド本体が使用者の口と外鼻孔を覆って飛沫感染を抑制する一方、シールド本体の開放状態では飲食可能となる構成とされている。
【先行技術文献】
【特許文献】
【０００４】
【特許文献１】実用新案登録第３２２８３４８号公報
【発明の概要】
【発明が解決しようとする課題】
【０００５】
ところで、特許文献１に記載のマスク型シールドでは、飲食等の際、使用者の口と外鼻孔を覆っているシールド本体を開放操作しなければならない。そのうえ、飲食時にもシールド本体によって飛沫感染を抑制するためには、一口飲んだり食べたりする度にシールド本体の開閉操作を繰り返さなければならず、１回の食事あたり最低数十回の開閉作業を１度も順序を間違えることなく、飲食と同時進行で行わなければならない。このように、前述したマスク型シールドでは、飲食時に多大な手間がかかり、極めて慎重かつ神経質さが要求される飲食となる。さらに飲食中に会話するとなれば、シールド本体の開閉回数が増え、使用者には相当の負担となり、シールド本体の開閉操作が会食者全員に徹底されることは困難である。
【０００６】
本発明の目的は、頭部前半面にエアカーテンを形成することにより、呼吸・飲食などの障害になるプラスチックシールド等の物理的障害を配置することなく、飛沫、エアロゾルなど空気中を浮遊する微粒子をいなすことができるエア式フェイスガードを提供することにある。
【課題を解決するための手段】
【０００７】
本発明のエア式フェイスガードは、水平方向に対して下向きに流れるエアカーテンを形成するエアチャンバと、前記エアカーテンが頭部前半面に沿う位置に前記エアチャンバを固定する固定具とを備える。
【発明の効果】
【０００８】
本発明によれば、頭部前半面にエアカーテンを形成することにより、呼吸・飲食などの障害になるプラスチックシールド等の物理的障害を配置することなく、飛沫、エアロゾルなど空気中を浮遊する微粒子をいなすことができるエア式フェイスガードを提供することができる。
【図面の簡単な説明】
【０００９】
【図１】本発明の実施形態に係るエア式フェイスガードを示す全体説明図。
【図２】前記実施形態に係るエア式フェイスガードのエアチャンバを示す説明図。
【図３】図２に示すエアチャンバの変形例を示す説明図。
【発明を実施するための形態】
【００１０】
［本実施形態の構成］
以下、本発明の実施形態を図面に基づいて説明する。
図１において、本実施形態に係るエア式フェイスガード１は、頭部へ装着可能な装身具としての帽子２（鍔付きキャップ）と、帽子２の鍔２１の下面に取り付けられるエアチャンバ３と、エアチャンバ３に一端が接続されるエアパイプ４と、エアパイプ４の他端に接続される送風機５とを備える。
【００１１】
図２（Ａ）ではエアチャンバ３の下面３０を主に示している。エアチャンバ３は、合成樹脂製であり、チャンバ中央部３５および左右のチャンバ側部３６，３６を有している。エアチャンバ３は、円弧状に湾曲形成されており、このため、左右のチャンバ側部３６，３６は、左右方向に対向して配置されている。
【００１２】
チャンバ中央部３５は左右のチャンバ側部３６，３６よりも前方に膨出した膨出部を有しており、幅広に形成されている。このため、チャンバ中央部３５内のチャンバ空間は、左右のチャンバ側部３６，３６におけるチャンバ空間よりも大容量となっている。
【００１３】
エアチャンバ３の下面３０において、チャンバ中央部３５には吹出口３１，３２，３３（中央吹出口）が形成されており、左右のチャンバ側部３６，３６には吹出口３４が形成されている。吹出口３１〜３４は本実施形態では円形状に開口している。
【００１４】
吹出口３２，３３はチャンバ中央部３５の内縁（使用者の顔面側の縁）側に沿って並んだ内縁吹出口であり、吹出口３２は二個あり、吹出口３３は吹出口３２に対して右側に二個、左側に二個ある。
吹出口３１は吹出口３２，３３よりも前方であって膨出部側に５個配設された前方吹出口である。
すなわち、図２に示されるように、中央吹出口３１，３２，３３には、チャンバ中央部３５の内縁側に配置された内縁吹出口３２，３３と、内縁吹出口３２，３３よりも前方であって膨出部側に配置された前方吹出口３１とがある。
吹出口３１は、図２に示すように、前方２個と後方３個とで前方に向かって二層にわかれて配置されている。
各吹出口３１の直径は９ｍｍであり、各吹出口３２の直径は８ｍｍであり、各吹出口３３の直径は７ｍｍである。
左右のチャンバ側部３６，３６における吹出口３４は、当該チャンバ側部３６の湾曲形状に沿って８個ずつ並んだ側部吹出口である。各吹出口３４の直径は５ｍｍである。
このようにエアチャンバ３に形成された吹出口３１〜３４の開口面積は、その左右両端側から中央側に向かうにつれて開口面積が大きくなっており、チャンバ中央部３５の開口面積は左右のチャンバ側部３６，３６の開口面積よりも大きい。
なお、本実施形態では右側のチャンバ側部３６の開口面積と左側のチャンバ側部３６の開口面積は等しい。
【００１５】
エアパイプ４は、可撓性を有しており、その一部に蛇腹状の伸縮部４１を有している。本実施形態では、伸縮部４１はエアパイプの一部にあるが、エアパイプ４の全長にわたって伸縮可能に蛇腹状に形成されていてもよい。また、伸縮部４１は蛇腹状に限らず、コイル状等であってもよい。
【００１６】
エアパイプ４の一端はカプラ４２を介してエアチャンバ３に着脱可能に接続され、他端は送風機５に接続されている。本実施形態では、エアパイプ４は、エアチャンバ３の左右の端部に接続されている。送風機本体８が一つである場合、エアパイプ４は二つに分岐してエアチャンバ３の左右の端部にそれぞれ接続される。
また、後述する送風機本体８が二つである場合、エアパイプ４は送風機本体８に応じて二つ備えられる。この場合、二つのうちの一方のエアパイプ４はエアチャンバ３の左右一方の端部と一方の送風機本体８とに接続され、二つのうちの他方のエアパイプ４はエアチャンバ３の左右他方の端部と他方の送風機本体８とに接続されることとなるので、各送風機本体８の送風を調整することで、エアチャンバ３の左右一方の端部へ供給するエアの風量と左右他方の端部へ供給するエアの風量を調整できる。
更に、エアチャンバ３内の左右中央に仕切り板３７（図２（Ａ）、図２（Ｂ）参照）を設けることで、左右の気圧調整を行うことができる。このため、例えばエア式フェイスガード１の使用者に対して左右一方側に第三者がいる場合には、左右一方側から吹き出すエアの風量だけを増やすことができる。加えて、エアチャンバ３の左右の内部空間に通じる連通部としての一つまたは複数の孔やスリット３８を仕切り板に形成することで、例えば供給するエアの８〜９割がエアチャンバ３から吹き出し、１〜２割が左右に行き交って気圧調整するようにも構成できる。
仕切り板３７は、図２（Ｂ）に示すように、本実施形態ではエアチャンバ３の内部形状に沿って略矩形板状に形成されており、その下縁３７１で開口したスリット３８が形成されている。
スリット３８は、図２（Ｂ）に示すように、下縁３７１から立ち上げられた一対の立上げ辺３８１と、一対の立上げ辺３８１に連続した半円形状の上底部３８２とを有して形成されているが、これに限らず、エアチャンバ３の左右の内部空間を連通できればよく、三角、四角等の多角形状その他各種形状であってもよい。エアチャンバ３の左右の内部空間を連通するスリット３８の開口面積は、本実施形態では左半分（または右半分）の吹出口３１〜３４の合計開口面積の２割程度となるように、前述した各吹出口３１〜３４の個数および開口面積に応じて０．９ｃｍ２程度としてもよい。
複数の吹出口３１のうち左右中央に位置する吹出口３１Ａは、スリット３８の開口とつながっている。このため、吹出口３１Ａからのエアの吹き出しに対して仕切り板３７が障害となることを避けている。なお、図２（Ｂ）に示す吹出口３１Ａには下方に延出した筒部３１１が設けられており、この筒部は、他の吹出口３１〜３４に設けられていてもよく、筒部３１１を設けることにより、エア出力を変えずに風速を上げることが期待できる。ただし、筒部３１１がなくても十分な風速が得られる構成であれば、筒部３１１を省略してもよい。
【００１７】
エアパイプ４の肉厚は、吹出口３１〜３４からエア（空気）を吹き出すために必要な耐圧性を有する範囲内で薄肉化されるとよい。また、エアパイプ４の内径はエアの流通抵抗が過度に大きくならない範囲で小径化されてもよい。このように薄肉化、小径化することでエア式フェイスガードを軽量化でき、携帯性を向上できる。
【００１８】
送風機５は、図１に示すように、電源６、スイッチ７および送風機本体８を備えている。電源６は携帯可能な充電式のバッテリ等で構成されており、スイッチ７は電源６および送風機本体８の接続間に設けられている。スイッチ７は、電源６から送風機本体８への電力供給のオンオフ操作が可能であり、本実施形態では供給電力を調整可能な風量調整部とされている。
送風機本体８は、エア吸入口からエア供給口へエアを送るファンと、エア吸入口に交換可能に設置されたエアフィルタとを備えている（図示省略）。ファンには一般的な小型ファンを採用可能である。エアフィルタには、飛沫やエアロゾルなど空気中を浮遊する微粒子を高確率で捕集できる性能を有するものであれば種々のものが採用可能であるが、日本検定規格ＤＳ２（使い捨てマスクの規格）または日本検定規格ＲＳ２（フィルタ交換式マスクの規格）以上の性能を有するものが望ましく、さらには液体防御機能を有する日本検定規格ＲＬ２（耐ミスト性のあるフィルタ交換式マスクの規格）以上の機能を有するものが望ましい。また、エアフィルタには、米国ＮＩＯＳＨ規格のＮ９５以上の性能を有するものが望ましく、さらには米国の医療用マスク規格ＡＳＴＭにあるような湿性生体物質などの液体防御機能を有するものが望ましい。
送風機本体８のエア吸入口は、エアチャンバ３から吹き出すエアによって形成されるエアカーテンの下流側、例えばエア式フェイスガード１の胸当たりに上向きに取り付けてもよい。この場合、エアカーテンによって下方にいなした飛沫などを効率的に捕集できる。
【００１９】
［本実施形態の使用例］
以下、本実施形態に係るエア式フェイスガード１の使用の一例を説明する。なお、エア式フェイスガード１の使用はこの一例に限定されない。
【００２０】
まず、エア式フェイスガード１を装着する。
送風機５は、本実施形態では使用者が着用するチョッキ等の衣服に装着されており、外部からの電力供給は不要であって何処でも送風可能な形態となっている。
送風機５は、エアパイプ４によってエアチャンバ３と接続される。エアパイプ４の伸縮部４１は、使用者が帽子２を被った状態で、エアチャンバ３および送風機５の間の距離に応じて適切な長さに伸縮調整される。エアチャンバ３および送風機５の間の距離は、使用者の体型等に応じて様々である。なお、蛇腹状の伸縮部４１が過度に長くならないように適切な長さに調整しておくことで、空気抵抗の余分な増大を抑えることが可能である。
使用者が帽子２を被った状態においては、エアチャンバ３は図１に示すように顔の前面に対して前方且つ上方に配置される。このとき、エアチャンバ３の下面３０に形成された吹出口３１〜３４は、エアを下方に吹き出す向きとなる。
【００２１】
次に、使用者の頭部前半面（顔面全体）に沿って上方から下方へ流れるエアカーテンを形成する。
具体的には、スイッチ７をオンにして電源６から送風機本体８に電力供給し、ファンによってエア吸入口からエア供給口へエアを送り、エア供給口からエアパイプ４を介してエアチャンバ３にエアを供給する。このとき、エア吸入口から吸入されるエアはエアフィルタを通ることで飛沫、エアロゾルなどの微粒子が除去され、エアチャンバ３には浄化されたエアが供給される。
【００２２】
エアチャンバ３に供給されたエアは、その左右の両端から左右のチャンバ側部３６，３６およびチャンバ中央部３５に供給され、各吹出口３１〜３４から下方に吹き出す。各吹出口３１〜３４から吹き出すエアは、使用者の顔、少なくとも目、鼻、口の大枠を線で囲んだ逆三角形のエリアを覆うエアカーテンを形成する。ここで、吹出口３１〜３４から吹き出すエアの最大風速は、１５ｍ／秒以上にまで設定可能であるとよい。本実施形態では、エアの吹出し直後は風速１５ｍ／秒以上だが、その後急速に減衰するので、その減衰分を織り込んでも発明の効果が十分に得られる最大風速に設定できるとよい。また、例えばエアカーテンの風速が１０ｍ／秒、使用者もしくは対面者の咳等によって水平方向に飛ぶ飛沫がエアカーテンに当たる際の速度が１０ｍ／秒であれば、理論上では飛沫の進行方向を４５度下向きに曲げることができる。上記の飛沫を下向きにいなせれば、飛沫が目・鼻・口へ到達することを防ぐことができる。咳など急激な変化がなく、人が向かい合って会話をしない状況下なら、エアカーテンの風速が前述した風速の１／１０程度であっても、空気中を浮遊する速度が遅いエアロゾルをいなせると想定される。このエアの風量は風量調整部でもあるスイッチ７の調整操作（ボリューム操作）によってでき、風量調整に応じて風速も調整されることとなる。
本実施形態では、チャンバ中央部３５の開口面積が左右のチャンバ側部３６，３６の開口面積よりも大きいので、飛沫が主に飛び出したり飛び込んだりしてくる方向である顔の正面側（前面側）において風量が増えている。このため、スイッチ７の風量調整操作をして全体風量を増やさなくても、チャンバ中央部３５から吹き出すエアの風量を十分に確保でき、飛沫を効果的に下方に落とせる。
【００２３】
このようにエアカーテンを形成することで、使用者や対面者から飛び出した飛沫に対し、エアカーテンによって上方から下方向の風力を連続的に加え続けることができ、ここを通過しようとする飛沫すべてのベクトルを下向きにできるので、エアカーテンを境に、直接の飛沫の往来を抑制できる。
特に感染確率が高いと考えられる大きな飛沫を下方にいなすことで、この飛沫が目・鼻・口に直接入ることを抑制できると共に、飛沫落下部分が広範囲に広がることをも抑制できてソーシャルディスタンスを短くできる。
一方、すでに空気中に浮遊しているエアロゾルは、前述したエアフィルタで捕集することができるので、浄化されたエアが一方向に連続して使用者の目・鼻・口周りに吹き出し続ける。このため、使用者は浄化されたエアを吸い続けることとなるので、空気中に浮遊するエアロゾルを吸い込む確率を下げられる。また、エア式フェイスガード１では、室内空間全体の空気を対象とした空気清浄機と比べ、使用者の身周りの空気だけを浄化するので、浄化対象の空気体積が著しく少なくなり、高効率かつ省エネルギーで、大幅に時間短縮できる。なお、前述したエアフィルタによって室内空間を浄化することにもなるので、その室内を使用する以前から空気中に浮遊しているエアロゾルも除去した安全な空気を提供でき、例えば厳冬期における室内換気の時間や頻度を削減でき、室内環境の快適性や省エネルギーにも貢献し得る。
【００２４】
［変形例］
前記実施形態では、吹出口３１〜３４は、前述した直径および個数とされているが、これに限らず、使用目的や環境に応じて適宜設定可能である。また、吹出口３１〜３４の開口形状はエアを効率的に吹き出す形状であればよいので円形形状に限らず、三角、四角等の多角形状でもよく、また例えば図３（Ａ）や図３（Ｂ）に示す変形例のようにスリット状の吹出口５１〜５３とされてもよい。
【００２５】
図３（Ａ）に示すスリット状の吹出口５１は、チャンバ中央部３５において吹出口５２に対して前方に設けられており、スリット状の吹出口５２は、エアチャンバ３の下面３０に沿って湾曲され且つチャンバ中央部３５および左右のチャンバ側部３６,３６に連続して設けられている。図３（Ａ）に示す変形例では、チャンバ中央部３５に吹出口５１が設けられている分、チャンバ中央部３５から吹き出されるエアの風量が左右それぞれのチャンバ側部３６,３６から吹き出されるエアの風量よりも大きい。
【００２６】
図３（Ｂ）に示す変形例では、連続した吹出口５２に代えて、エアチャンバ３の下面３０に沿って分割して設けられたスリット状の吹出口５３が設けられている。また、吹出口５１および各吹出口５３には、図３（Ｂ）および図３（Ｃ）に示すように板状の風向調整体５４，５５が設けられていてもよい。風向調整体５４，５５は吹出口５１，５３に対して傾動可能に取り付けられており、各傾き角度を調整することで、吹出口５１，５３からのエア吹出方向を変更可能である。
【００２７】
前記実施形態では、エアチャンバ３の内部空間に仕切り板３７が設けられているが、この仕切り板３７は左右一方側または他方側に寄って配置されていてもよく、また、省略してもよい。
【００２８】
前記実施形態では、円弧状に湾曲形成された合成樹脂製のエアチャンバ３を説明したが、これに限らず、金属製、カーボン製やガラス製などでもよく、また、厚手のビニール袋やゴムチューブのような柔軟性のあるものでエアチャンバを形成してもよい。
【００２９】
前記実施形態では、エアパイプ４はエアチャンバ３の左右の端部に接続されているが、これに限らず他の箇所に接続してもよく、例えば、左右一方の端部だけに接続されていてもよく、また、チャンバ中央部３５に一か所だけに接続されていてもよい。
【００３０】
前記実施形態では、送風機５にエアフィルタが備えられているが、エア式フェイスガード１から吹き出すエアを清浄化する必要がない場合には、このエアフィルタを外してもよい。また、送風機５は、エアフィルタを通る第一エア通路と、エアフィルタを通らない第二エア通路とが設けられて、レバー等によって第一エア通路および第二エア通路の開閉切替えを操作可能に構成されてもよい。
【００３１】
前記実施形態では、送風機５はチョッキ等の衣服に装着されているが、送風機５の重量を腰骨で支えやすいようにウエストバッグ等に装着されてもよい。また、帽子２等の装身具自体に装着されていてもよく、この場合、エアチャンバ３と送風機５との配置関係が変わらないので、エアパイプ４の伸縮部４１を省略してもよく、エアパイプ４自体が可撓性を有しない配管とされてもよい。
また、送風機５が帽子２等の装身具ではなく、チョッキ等の別の場所に設けられる場合であっても、エアパイプ４の伸縮部４１を伸縮させる必要のない配置である場合には伸縮部４１を省略してもよい。
【００３２】
前記実施形態では、エア式フェイスガード１は、エアパイプ４および送風機５を備えて構成されているが、例えば机、テーブル等の使用する機材にエア供給装置が備え付けられている場合や、建物等の設備としてエア供給装置が備え付けられている場合には、これらのエア供給装置にエアチャンバ３を接続できるので、エア式フェイスガード１自体からエアパイプ４および送風機５を省略してもよい。
【００３３】
前記実施形態では、チャンバ中央部３５における開口面積（合計開口面積）は左右それぞれのチャンバ側部３６,３６における開口面積（合計開口面積）よりも大きくしたが、環境や使用形態に応じて同じ開口面積としてもよく、また、チャンバ中央部３５における開口面積を左右それぞれのチャンバ側部３６,３６における開口面積よりも小さくしてもよい。
【００３４】
エア式フェイスガード１の使用に際し、机、テーブル等における使用者のエリア（使用者の座位置から半径６０ｃｍ程度のエリア）を囲むように、高さ７〜１０ｃｍ程度であって断面半円状（一般住居用のプラスチック製雨樋のような断面形状）のパーティションを設けてもよい。このパーティションの上側縁が使用者側に向くように設置すれば、いわば「返し」の役割を果たし得る。具体的には、エア式フェイスガード１によって形成されたエアカーテンによって下方にいなされて机、テーブル等に叩き付けられて跳ね返った飛沫やエアロゾルの大半は、パーティションの「返し」によって使用者側に戻ってくる。戻ってきた飛沫やエアロゾルは使用者のエリア内で数回転するうちにエアフィルタによって捕集される。またこの場合、送風機５のエア吸入口にパーティション手前まで延びるホースを設置することで、パーティションで返された飛沫やエアロゾルを効率よく捕集できる。
【００３５】
前記実施形態では、帽子２を装身具として説明したが、装身具としては身体に装着可能な形態であればよく、はちまき状のものや、肩に装着するもの、首に掛けるものなどでもよく、これらの形態ではエア式フェイスガード１を各人が自由に持ち歩くことができる。また、エア式フェイスガード１は、身体に装着可能な装身具を、エアチャンバ３を固定する固定具として備えているが、これに代えて、ベッドのフレーム等に装着可能な装着具を前記固定具としてもよい。この場合、例えば高齢者施設・障害者施設などでベッドに横たわる被介護者が咳などをしたり、介護従事者が咳などをしたりしても、口から吐出された飛沫などの運動方向は、エア式フェイスガード１によって形成されるエアカーテンによって下方側（被介護者および介護従事者の下半身側）に曲げられるので、被介護者に対して食事や歯磨きなどの介助を行う介護従事者への飛沫リスク、および介護従事者から被介護者への飛沫リスクを下げられる。更に、被介護者と介護従事者との間にはエアカーテンしか形成されていないので介護(介助)行為の邪魔とならない。
【００３６】
［本発明のまとめ］
本発明のエア式フェイスガードは、水平方向に対して下向きに流れるエアカーテンを形成するエアチャンバと、前記エアカーテンが頭部前半面に沿う位置に前記エアチャンバを固定する固定具とを備える。
本発明のエア式フェイスガードによれば、使用者・対面者の間で行き交う飛沫やエアロゾルをエアカーテンによっていなすことができる。このため、呼吸・飲食などの障害になるプラスチックシールド等の物理的障害を配置することなく、飛沫、エアロゾルなど空気中を浮遊する微粒子などを吸入する確率を下げることができる。また、エアカーテンによって飛沫などの軌道を下向きに曲げることで、飛沫などが広範囲にまき散ることを抑制できる。
【００３７】
本発明のエア式フェイスガードでは、前記固定具は身体へ装着可能な装身具によって構成されてもよい。
このような構成によれば、例えば固定具が使用者の周辺設備に取り付けられる場合と比べて、携帯性に優れ、各人が自由に持ち歩くことができる。更に、使用者が移動しても、エア式フェイスガードと使用者の頭部前半面との位置関係を一定に保つことができる。
【００３８】
本発明のエア式フェイスガードでは、前記エアチャンバに接続されるエアパイプと、前記エアパイプに接続される送風機とを備えてもよい。
このような構成によれば、エアチャンバを外部の送風設備に接続しなくてもエア式フェイスガードを作動させることができ、携帯性に優れ、様々な場所でエア式フェイスガードを使用できる。
【００３９】
本発明のエア式フェイスガードでは、前記送風機は、エア吸入口と、前記エア吸入口から吸入されるエアが通るエアフィルタとを備え、前記エア吸入口は前記エアカーテンの下流側に配置されてもよい。
このような構成によれば、エアカーテンによっていなした飛沫やエアロゾルをエア吸入口から回収でき、その際、エアフィルタによってエアを清浄化できる。これにより、空気中の飛沫やエアロゾルを清浄化でき、また、使用者の頭部前半面（顔面全体）に沿うエアカーテンを形成するエアが清浄化されるので、使用者が飛沫、エアロゾルなど空気中を浮遊する微粒子などを吸入する確率を下げることができる。
【００４０】
本発明のエア式フェイスガードでは、前記送風機は、前記エアチャンバに供給するエアの風量を調整操作可能な風量調整部を有してもよい。
このような構成によれば、様々な環境に応じた風量に適宜調整できる。
【００４１】
本発明のエア式フェイスガードでは、前記風量調整部は、前記エアチャンバから吹き出すエアの最大風速を１５ｍ／秒以上に調整可能に構成されてもよい。
このような構成によれば、咳などで水平方向に１０ｍ／秒程度で吐出された飛沫などの運動方向を下向きに曲げることができる。
【００４２】
前記エアチャンバの左右一方側に接続される左右一方側の前記エアパイプおよび前記送風機と、前記エアチャンバの左右他方側に接続される左右他方側の前記エアパイプおよび前記送風機とを備え、
前記エアチャンバには、当該エアチャンバの内部空間を左右に仕切る仕切り板が形成され、
前記仕切り板は、左右に仕切られた前記内部空間同士を連通する連通部を有してもよい。
このような構成によれば、各送風機の風量調整部による風量調整によってエアチャンバの左右の内部空間を通じて吹出口から吹き出すエアの風量を左右で調整しつつ、左右の内部空間のエアを仕切り板の連通部を通じて行き交わせることで適度に気圧調整できる。
【００４３】
本発明のエア式フェイスガードでは、前記エアパイプの少なくとも一部は、伸縮可能に蛇腹状に形成されていてもよい。
このような構成によれば、エアパイプが伸縮可能なので、使用状況に応じた適切なエアパイプの長さに適宜調整できる。
【００４４】
本発明のエア式フェイスガードでは、前記エアチャンバは、前記エアカーテンを形成するエアを吹き出す吹出口がそれぞれ形成されたチャンバ中央部および左右のチャンバ側部を有していてもよい。
このような構成によれば、チャンバ中央部を顔の中央前方に配置し、且つ、左右のチャンバ側部を顔の左右側方に配置することで、顔の中央前方（鼻および口の前方）および顔の左右側方（左右の耳側）に沿ってエアカーテンを形成できる。
【００４５】
本発明のエア式フェイスガードでは、前記チャンバ中央部における前記吹出口の開口面積は、左右の前記チャンバ側部における前記吹出口の開口面積よりも大きくされていてもよい。
このような構成によれば、チャンバ中央部を顔の中央前方に配置し、且つ、左右のチャンバ側部を顔の左右側方に配置することで、顔の中央前方（鼻および口の前方）を流れる風量を、顔の左右側方（左右の耳側）を流れる風量よりも増やすことができる。これにより、全体送風量を増やすことなく顔の中央前方において使用者の口腔飛沫等をより確実に防ぐことができる。
【００４６】
本発明のエア式フェイスガードでは、前記エアチャンバには、当該エアチャンバからのエア吹出方向を変更する風向調整体が設けられてもよい。
このような構成によれば、風向調整体の操作によってエアカーテンの風向を変えることができ、様々な使用者に応じてエアカーテンを適切な位置に形成できる。
【符号の説明】
【００４７】
１…エア式フェイスガード、２…装身具としての帽子、２１…鍔、３…エアチャンバ、３０…下面、３１〜３４，３１Ａ，５１〜５３…吹出口、３１１…筒部、３５…チャンバ中央部、３６…チャンバ側部、３７…仕切り板，３８…スリット（連通部），４…エアパイプ、４１…伸縮部、４２…カプラ、５…送風機、５４，５５…風向調整体、６…電源、７…スイッチ、８…送風機本体。
【要約】
【課題】頭部前半面にエアカーテンを形成することにより、呼吸・飲食などの障害になるプラスチックシールド等の物理的障害を配置することなく、飛沫、エアロゾルなど空気中を浮遊する微粒子をいなすことができるエア式フェイスガードを提供すること。
【解決手段】エア式フェイスガード１は、水平方向に対して下向きに流れるエアカーテンを形成するエアチャンバ３と、エアカーテンが頭部前半面に沿う位置にエアチャンバ３を固定する固定具としての帽子２とを備える。このエアカーテンによって使用者・対面者の間で行き交う飛沫やエアロゾルをいなすことができるので、呼吸・飲食などの障害になるプラスチックシールド等の物理的障害を配置することなく、飛沫、エアロゾルなど空気中を浮遊する微粒子などを吸入する確率を下げることができる。
【選択図】図１【図１】
0006952230.tif 000002
【図２】
0006952230.tif 000003
【図３】
0006952230.tif 000004